(57)【要約】【課題】コントラスト調整を行い得るＡ／Ｄ変換手段を有するコントラスト調整装置、該コントラスト調整装置におけるコントラスト調整方法、及び表示装置を提供すること。【解決手段】第２のアナログ映像信号が第２のＡ／Ｄ変換部３１２に入力される。マイコン２００は、デジタル変換の際に基準となる基準電圧ＶＲＨを第２の変換部３１２に出力する。基準電圧ＶＲＨはマイコン２００によって可変にさせることができる。第２のＡ／Ｄ変換部３１２から出力される第２のデジタル映像信号は基準電圧ＶＲＨにより夫々異なるデジタル値を取り得る。コントラストが調整された第２の映像がＴＦＴ７で表示される。【選択図】  図１０
2007025617.tif 000002
【特許請求の範囲】
【請求項１】
アナログ映像信号をデジタル映像信号に変換するＡ／Ｄ変換手段を備え、
前記Ａ／Ｄ変換手段に入力される前記変換の際に基準となる基準電圧に基づいて、コントラストが調整された前記デジタル映像信号を前記Ａ／Ｄ変換手段から出力させる、ことを特徴とするコントラスト調整装置。
【請求項２】
請求項１記載のコントラスト調整装置において、
更に、前記基準電圧を可変にする制御手段を備える、ことを特徴とするコントラスト調整装置。
【請求項３】
請求項１又は２記載のコントラスト調整装置において、
前記Ａ／Ｄ変換手段は、前記基準電圧に基づいて、前記デジタル映像信号を構成する各デジタル値を異ならせることで前記コントラストが調整された前記デジタル映像信号を出力する、ことを特徴とするコントラスト調整装置。
【請求項４】
請求項２記載のコントラスト調整装置において、
前記制御手段が第１の基準電圧を前記Ａ／Ｄ変換手段に出力したときは、前記Ａ／Ｄ変換手段は、前記コントラストが基準に調整された前記デジタル映像信号を出力し、前記制御手段が前記第１の基準電圧より高い第２の基準電圧を前記Ａ／Ｄ変換手段に出力したときは、前記Ａ／Ｄ変換手段は、前記コントラストが前記基準より暗めに調整された前記デジタル映像信号を出力し、前記制御手段が前記第１の基準電圧より低い第３の基準電圧を前記Ａ／Ｄ変換手段に出力したときは、前記Ａ／Ｄ変換手段は、前記コントラストが前記基準より明るめに調整された前記デジタル映像信号を出力する、ことを特徴とするコントラスト調整装置。
【請求項５】
基準電圧に基づいてアナログ映像信号からデジタル映像信号に変換するＡ／Ｄ変換手段を備えるコントラスト調整装置のコントラスト調整方法において、
前記基準電圧を可変にすることで、コントラストが調整された前記デジタル映像信号を前記Ａ／Ｄ変換手段から出力させる、ことを特徴とするコントラスト調整方法。
【請求項６】
複数の視方向に対する個別の映像を同一画面上に表示可能な表示部と、
前記複数の映像のうち、少なくとも１つの映像に対応するアナログ映像信号が入力され、デジタル映像信号に変換するＡ／Ｄ変換手段と、
前記変換の際に基準となる基準電圧を前記Ａ／Ｄ変換手段に出力する制御手段とを備え、
前記制御手段は、前記基準電圧を可変にすることで、コントラストが調整された前記デジタル映像信号を前記Ａ／Ｄ変換手段から出力させる、ことを特徴とする表示装置。
【発明の詳細な説明】
【技術分野】
【０００１】
本発明は、アナログ映像信号をデジタル映像信号に変換するＡ／Ｄ変換手段を有するコントラスト調整装置、該コントラスト調整装置におけるコントラスト調整方法、及び表示装置に関する。詳しくは、Ａ／Ｄ変換の際に基準電圧を可変にすることでコントラスト調整を行うコントラスト調整装置等に関する。
【背景技術】
【０００２】
従来から、複数の視方向に対する個別の画像を同一表示装置上に同時に表示できるようにしたマルチビュー表示装置が提案されている。
【０００３】
かかる機能は、例えば、液晶画面内において１水平走査ライン上に交互に画素単位で２つの異なる画像の画素を並べるように表示するとともに、液晶画面の前方に画面縦方向に所定画素幅で交互にスリットを有するスリットバリアを設け、液晶画面の見る位置により異なる２つの画像を別々に表示することで実現している（例えば、以下の特許文献１）。
【特許文献１】特許第３１９４０２４号特許公報、特に図３
【発明の開示】
【発明が解決しようとする課題】
【０００４】
しかしながら、かかるマルチビュー表示装置をカーナビゲーション装置に適用した場合、種々の状況で車両が走行することから、運転席用と助手席用とに表示される双方の画像に対して明るさ、暗さ（白っぽさ、黒っぽさ）を調整する、いわゆるコントラスト調整機能をマルチビュー表示装置に持たせることが望まれていた。
【０００５】
また、かかるコントラスト調整機能がマルチビュー表示装置以外に種々の装置に利用できれば更に便利である。
【０００６】
そこで、本発明はコントラスト調整を行い得るＡ／Ｄ変換手段を有するコントラスト調整装置、該コントラスト調整装置におけるコントラスト調整方法、及び表示装置を提供することを目的とする。
【課題を解決するための手段】
【０００７】
上記目的を達成するために本発明は、コントラスト調整装置において、アナログ映像信号をデジタル映像信号に変換するＡ／Ｄ変換手段を備え、前記Ａ／Ｄ変換手段に入力される前記変換の際に基準となる基準電圧に基づいて、コントラストが調整された前記デジタル映像信号を前記Ａ／Ｄ変換手段から出力させることを特徴とする。
【０００８】
また、本発明は前記コントラスト調整装置において、更に、前記基準電圧を可変にする制御手段を備えることを特徴とする。
【０００９】
更に、本発明は前記コントラスト調整装置において、前記Ａ／Ｄ変換手段は、前記基準電圧に基づいて、前記デジタル映像信号を構成する各デジタル値を異ならせることで前記コントラストが調整された前記デジタル映像信号を出力することを特徴とする。
【００１０】
更に、本発明は前記コントラスト調整装置において、前記制御手段が第１の基準電圧を前記Ａ／Ｄ変換手段に出力したときは、前記Ａ／Ｄ変換手段は、前記コントラストが基準に調整された前記デジタル映像信号を出力し、前記制御手段が前記第１の基準電圧より高い第２の基準電圧を前記Ａ／Ｄ変換手段に出力したときは、前記Ａ／Ｄ変換手段は、前記コントラストが前記基準より暗めに調整された前記デジタル映像信号を出力し、前記制御手段が前記第１の基準電圧より低い第３の基準電圧を前記Ａ／Ｄ変換手段に出力したときは、前記Ａ／Ｄ変換手段は、前記コントラストが前記基準より明るめに調整された前記デジタル映像信号を出力することを特徴とする。
【００１１】
また、本発明は上記目的を達成するために、基準電圧に基づいてアナログ映像信号からデジタル映像信号に変換するＡ／Ｄ変換手段を備えるコントラスト調整装置のコントラスト調整方法において、前記基準電圧を可変にすることで、コントラストが調整された前記デジタル映像信号を前記Ａ／Ｄ変換手段から出力させることを特徴とする。
【００１２】
更に、本発明は上記目的を達成するために、表示装置において、複数の視方向に対する個別の映像を同一画面上に表示可能な表示部と、前記複数の映像のうち、少なくとも１つの映像に対応するアナログ映像信号が入力され、デジタル映像信号に変換するＡ／Ｄ変換手段と、前記変換の際に基準となる基準電圧を前記Ａ／Ｄ変換手段に出力する制御手段とを備え、前記制御手段は、前記基準電圧を可変にすることで、コントラストが調整された前記デジタル映像信号を前記Ａ／Ｄ変換手段から出力させることを特徴とする。
【発明の効果】
【００１３】
本発明によれば、コントラスト調整を行い得るＡ／Ｄ変換手段を有するコントラスト調整装置、該コントラスト調整装置におけるコントラスト調整方法、及び表示装置を提供することができる。
【発明を実施するための最良の形態】
【００１４】
本発明を実施するための最良の形態について、以下図面を参照しながら説明する。但し、本発明の技術的範囲はそれらの実施の形態に限定されず、特許請求の範囲に記載された発明とその均等物に及ぶ物である。
【００１５】
［表示装置の全体構成と各構成の説明]
まず、本発明に係る表示装置の全体構成等を説明する。図１は、本発明に係る表示装置の概念図である。
【００１６】
図１の概念図は、表示部７に対する観察者（利用者）１０、１１の相対的位置に応じて、換言すれば表示部７に対する視野角に応じて、観察者１０は第１の表示画像８を、観察者１１は第２の表示画像９を実質的に同時に見ることができ、しかも各々の表示画像８、９は表示部７の表示面全体に渡ってみることができることを概念的に示している。図１において、第１の画像ソース１は例えばＤＶＤプレーヤの映画画像やテレビ受信機の受信画像等であり、第２の画像ソース２は例えばカーナビゲーション装置の地図やルート案内画像等である。第１の画像データ３及び第２の画像データ４は表示制御部５に供給され、それらを表示部７で実質的に同時に表示できるように処理される。
【００１７】
表示制御部５から表示データ６が供給される表示部７は、後述する視差バリアを備えた液晶パネル等で構成される。表示部７の横方向の総画素の半数が第１の画像ソース１に基づく第１の表示画像８の表示に、残りの半数の画素が第２の画像ソース２に基づく第２の表示画像９の表示に使用される。表示部７に対して左側に位置する観察者１０には、第１の表示画像８に対応する画素のみが見え、第２の表示画像９は表示部７の表面に形成された視差バリアによって遮られ実質的に見えない。一方、表示部７に対して右側に位置する観察者１１には、第２の表示画像９に対応する画素のみが見え、第１の表示画像８は視差バリアによって遮られ実質的に見えない。尚、視差バリアについては、例えば、以下の特許文献２、特許文献３に開示された構成を応用できる。
【特許文献２】特開平１０−１２３４６１号公報
【特許文献３】特開平１１−８４１３１号公報
【００１８】
係る構成により、単一の画面で左右の利用者に異なる情報やコンテンツを提供することができる。もちろん、第１、第２の画像ソース１、２が同じであれば、従来通り
左右の利用者が同じ画像を見ることもできる。
【００１９】
図２は、本発明に係るマルチビュー表示装置の車両への搭載例を示す斜視図である。図中、右側に運転席１３、左側に助手席１２が配置される。また、運転席１３、助手席１２の前面にウィンドシールド１４が設けられている。
【００２０】
図１のマルチビュー表示装置の表示部７は、例えば図２に示すように、運転席１３と助手席１２とのほぼ中央のダッシュボード部分に配置される。マルチビュー表示装置に対する各種操作は、表示部７の表面に一体的に形成されたタッチパネル（図示せず）や操作部１５又は、赤外線若しくは無線リモートコントローラ（図示せず）の操作によって行われる。車両の各ドアにはスピーカ１６が配置され、表示画像に連動した音声や警告等が出力される。
【００２１】
運転席１３に図１の観察者１１が、助手席１２には観察者１０が座る。表示部７に対する第１視方向（運転席側）から見ることができる画像は例えばカーナビゲーション装置の地図等の画像であり、実質的に同時に第２の視方向（助手席側）から見ることができる画像は例えばテレビ受信画像やＤＶＤ映画画像である。従って、運転席１３の運転者がカーナビゲーションによる運転支援を受けるのと同時に助手席１２の同乗者はテレビやＤＶＤを楽しむことができる。しかも、それぞれの画像は例えば７インチの画面全体を使用して表示されるため、従来のマルチウィンドウ表示のように画面サイズが小さくなることもない。つまり、運転者、同乗者にとってはあたかも各々独立した専用のディスプレイがあるかの如く、それぞれに最適な情報やコンテンツが提供される。
【００２２】
図３は、表示部７の断面構造の概略図である。図３に示すように、表示部７はバックライト１０１と液晶パネル１００とを備える。液晶パネル１００は、バックライト１０１側に設置された偏光板１０２と、液晶パネル１００の発光方向側の前面に配置された偏光板１０３と、ＴＦＴ（Thin Film Transistor）基板１０４と、液晶層１０５と、カラーフィルター基板１０６と、ガラス基板１０７、及び視差バリア１０８とから構成される。液晶パネル１００は、ＴＦＴ基板１０４とそれに対向して配置されるカラーフィルター基板１０６の間に液晶層１０５を挟持した一対の基板と、その発光方向側の前面に配置された視差バリア１０８とガラス基板１０７とを、２枚の偏光板１０２、１０３の間に挟んだ構成となっており、バックライト１０１からやや隔離して配設される。また、液晶パネル１００は、ＲＧＢ色（三原色）で構成される画素を有する。
【００２３】
液晶パネル１００の各画素は、左側（助手席側）表示用と、右側（運転席側）表示用とに分けられて表示制御される。そして、左側（助手席側）表示用画素は、視差バリア１０８により右側（運転席側）への表示は遮断され、左側（助手席側）からは見えるようになっている。また、右側（運転席側）表示用画素は、視差バリア１０８により左側（助手席側）への表示が遮断され、右側（運転席側）からは見えるようになっている。これにより、運転者と同乗者に異なった表示を提供することが可能となる。つまり、運転者にはナビゲーションの地図情報を与え、同時に同乗者にはＤＶＤの映画等を見せることが可能となる。なお、視差バリア１０８、液晶パネル１００の各画素の構成を変更すれば、３方向等、複数方向に異なった画像を表示する構成も可能である。また、視差バリア１０８自体を電気的に駆動可能な液晶シャッタ等で構成して視野角を可変にするようにしてもよい。
【００２４】
図４は、表示パネルを正面から見た構造の概略図であり、図３は図４中のＡ−Ａ’断面である。図中、画素１０９は左側（助手席側）表示用の画素であり、画素１１０は右側（運転席側）表示用の画素である。図３及び図４は、例えば横方向に８００画素、縦方向に４８０画素並べられた液晶パネル１００の一部を表す。左側（助手席側）表示用の画素１０９と右側（運転席側）表示用の画素１１０は縦方向にグループ化され、交互に並んでいる。視差バリア１０８は、横方向にある間隔で配置され、縦方向には一様である。これにより、左側から表示パネルを見ると、視差バリア１０８が右側用画素１１０を覆い隠して、左側用画素１０９が見える。また、同様に右側から見ると、視差バリア１０８が左側用画素１０９を覆い隠して、右側用画素１１０が見える。更に正面付近では、左側用画素１０９と右側用画素１１０の両方が見えるため、左側表示画像と右側表示画像とが実質的に重なって見える。ここで、図４中の交互に並んだ左側用画素１０９及び右側用画素１１０は、図３のようにＲＧＢ色を有しているが、各グループ縦方向内は、Ｒ列、Ｇ列、Ｂ列のように単色で構成されてもよいし、ＲＧＢが複数混じった列として構成されていてもよい。
【００２５】
図５は、ＴＦＴ基板１０４の概略図を示す回路図である。ＴＦＴ基板１０４は、表示パネル駆動部１１１、走査線駆動回路１１２、データ線駆動回路１１３、ＴＦＴ素子１１４、データ線１１５〜１１８、走査線１１９〜１２１、及び画素電極１２２を備える。
【００２６】
図５に示すように、サブピクセル１２３は各データ線１１５〜１１８及び各走査線１１９〜１２１によって囲まれた領域を一単位として、複数形成される。各サブピクセルには、液晶層１０５に電圧を印加する画素電極１２２とそれをスイッチング制御するＴＦＴ素子１１４が形成されている。表示パネル駆動部１１１は、走査線駆動回路１１２及びデータ線駆動回路１１３の駆動タイミングを制御する。走査線駆動回路１１２はＴＦＴ素子１１４の選択操作を行い、またデータ線駆動回路１１３は画素電極１２２の印加電圧を制御する。
【００２７】
前記複数のサブピクセルは、第１の画像データと第２の画像データの合成データ、若しくは第１と第２の個々の画像データに基づいて、例えばデータ線１１５、１１７に第１の画素データ（左側画像表示用）を、またデータ線１１６、１１８に第２の画素データ（右側画像表示用）を送信することにより、第１の画像を表示する第１の画像データ群と第２の画像を表示する第２の画像データ群が形成される。
【００２８】
図６は、本発明に係る表示装置の概略を示すブロック図であり、いわゆるAudio Visual Navigation複合機への適用例である。表示装置は、タッチパネル１２４、制御部２００、ＣＤ／ＭＤ再生部２０１、ラジオ受信部２０２、ＴＶ受信部２０３、ＤＶＤ再生部２０４、ＨＤ（Hard Disk）再生部２０５、ナビゲーション部２０６、分配回路２０７、第１の画像調整回路２０８、第２の画像調整回路２０９、音声調整回路２１０、画像出力部２１１、ＶＩＣＳ（Vehicle Information and Communication System）情報受信部２１２、ＧＰＳ（Global Positioning System）情報受信部２１３、セレクタ２１４、操作部２１５、リモコン送受信部２１６、リモコン２１７、メモリ２１８、外部音声／映像入力部２１９、カメラ２２０、明るさ検知手段２２１、乗員検知手段２２２、リア表示部２２３、ＥＴＣ（Electronic Toll Collection）車載器２２４、通信ユニット２２５を備える。
【００２９】
表示部７は、タッチパネル１２４、液晶パネル１００、及びバックライト１０１から構成される。表示部７の液晶パネル１００は、これまで述べてきたように、第１視方向として運転席側から見られる画像と、第２視方向として助手席側から見られる画像とを、実質的に同時に表示することが可能となっている。尚、表示部７には、液晶パネル１００以外のフラットパネルディスプレイ、例えば、有機ＥＬ（Electro-Luminescence）ディスプレイパネル、プラズマディスプレイパネル、冷陰極フラットパネルディスプレイ等を用いることもできる。
【００３０】
各種ソース（ＣＤ／ＭＤ再生部２０１、ラジオ受信部２０２、ＴＶ受信部２０３、ＤＶＤ再生部２０４、ＨＤ再生部２０５、及びナビゲーション部２０６）からの画像や音声は、制御部２００からの指示に基づき左用に指定された画像ソースを第１の画像調整回路２０８に、右用に指定されたソースを第２の画像調整回路２０９に分配させる分配回路２０７を介して、画像であれば第１の画像調整回路２０８及び第２の画像調整回路２０９に、音声であれば音声調整回路２１０にそれぞれ分配される。そして、第１及び第２の画像調整回路２０８、２０９では、輝度や色調、コントラストが調整され、調整された各画像を画像出力部２１１にて、表示部７に表示させる。また、音声調整回路２１０では各スピーカへの分配や音量、音声が調整され、調整された音声がスピーカ１６から出力される。
【００３１】
図７は、画像出力部２１１の概略を示すブロック図である。画像出力部２１１は、例えば図７に示すように、第１の書込回路２２６と、第２の書込回路２２７と、ＶＲＡＭ（Video RAM）２２８、及び表示パネル駆動部１１１を備える。例えば、第１の書込回路２２６は、調整された画像データのうち第１の画像調整回路２０８から出力される画像の奇数列に対応する画像データ（即ち、図１の第１の表示画像８用の画像データ）を、第２の書込回路２２７は第２の画像調整回路２０９から出力される偶数列に対応する画像データ（即ち、図１の第２の表示画像９用の画像データ）をもとにし、それぞれＶＲＡＭ２２８における該当する領域に書き込む。また、表示パネル駆動部１１１は液晶パネル１００を駆動する回路であり、ＶＲＡＭ２２８に保持されている画像データ（第１の画像データと第２の画像データの合成データ）に基づいて、液晶表示パネル１００の対応する画素を駆動する。尚、ＶＲＡＭ２２８には第１の画像データと第２の画像データの合成されたマルチビュー表示用の画像に対応するように画像データの書き込みが行われているので、駆動回路は１つでもよく、その動作も通常の液晶表示装置の駆動回路の動作と同じである。また、別の構成として、第１の画像データと第２の画像データとを合成せずに、それぞれの画像データに基づいて、液晶表示パネル１００の対応する画素を駆動する第１の表示パネル駆動回路及び第２の表示パネル駆動回路を用いることも考えられる。
【００３２】
ここで、図６で示した各種ソースの一例について説明すると、ＨＤ再生部２０５が選択された場合、ハードディスク（ＨＤ）に記憶されたＭＰ３ファイル等の音楽データやＪＰＥＧファイル等の画像データ、ナビゲーション用の地図データ等が読み出され、音楽データを選択するためのメニュー表示や画像データを表示部７に表示させることができる。
【００３３】
ナビゲーション部２０６は、ナビゲーションの為に利用される地図情報を記憶した地図情報記憶部を備え、ＶＩＣＳ情報受信部２１２、ＧＰＳ情報受信部２１３から情報を入手し、ナビゲーション動作の為の画像を作成し、表示させることができる。また、ＴＶ受信部２０３は、アンテナからセレクタ２１４を介して、アナログＴＶ放送波又はデジタルＴＶ放送波を受信する。
【００３４】
図８は、制御部２００の概略を示すブロック図である。
【００３５】
制御部２００は、分配回路２０７並びに各種ソースを制御し、選択された２つのソース若しくは１つのソースについて表示を行わせる。また、制御部２００はこれら各種ソースをコントロールするための操作メニュー表示を表示部７に表示させることも行う。ここで、図８に示すように、制御部２００はマイクロプロセッサなどで構成され、インターフェース２２９を介して、表示装置内の各部や各回路を統括的に制御するＣＰＵ２３０を備える。このＣＰＵ２３０には、表示装置の動作に必要な各種プログラムを保持するＲＯＭからなるプログラム記憶部２３１と、各種データを保持するＲＡＭからなるデータ記憶部２３２とが設けられている。尚、ＲＯＭやＲＡＭ等はＣＰＵ２３０に内蔵されたものでも、外部に設けられたものでも使用可能である。また、ＲＯＭはフラッシュメモリの様に電気的に書き換え可能な不揮発性メモリでもよい。
【００３６】
ユーザは、上記各種ソースのコントロールを、表示部７の表面に取り付けられているタッチパネル１２４や表示部７の周囲に設けられたスイッチ、若しくは音声認識等の入力操作や選択操作を操作部２１５によって行うことができる。また、リモコン送受信部２１６を介して、リモコン２１７により入力若しくは選択操作をしてもよい。制御部２００は、このタッチパネル１２４や操作部２１５の操作に従って、各種ソースを含めた制御を行っている。また、制御部２００は、図２のように車両内に複数備え付けられたスピーカ１６の各音量等を、音声調整回路２１０を用いて制御することができるように構成されている。また、制御部２００はメモリ２１８に画質設定情報やプログラム、車両情報等の各種設定情報を記憶させることも行っている。
【００３７】
図９は、メモリ２１８の概略を示すブロック図である。
【００３８】
メモリ２１８は、例えば図９に示すように、使用者が設定した第１の画像及び第２の画像の画質の調整値がそれぞれ書き込み可能な第１の画面ＲＡＭ２３３及び第２の画面ＲＡＭ２３４を有する。また、第１の画像及び第２の画像の画質を調整する場合に、読み出すことができるプリセット値として各画質調整用に予め複数段階の画質調整値が記憶されている画質設定情報記憶手段２３５も有する。更に、車外の明るさ変化等の周囲環境変化に応じた画質を調整するために、周囲環境に対する第１の映像及び第２の映像の画質の調整値を保持する対環境調整値保持手段２３６を有している。ここで、画質設定情報記憶手段２３５及び対環境調整値保持手段２３６は、フラッシュメモリなどの電気的書き換え可能な不揮発性メモリ又はバッテリバックアップされた揮発性メモリにより構成される。
【００３９】
外部音声／映像入力部２１９に接続された、例えば後方監視用のカメラ２２０からの画像を表示部７に表示するようにしてもよい。尚、後方監視用カメラ２２０以外に、ビデオカメラ及びゲーム機等を外部音声／映像入力部２１９に接続してもよい。
【００４０】
制御部２００は、明るさ検知手段２２１（例えば、車両のライトスイッチや光センサ）や乗員検知手段２２２（例えば、運転席や助手席に設けられた感圧センサ）により検知された情報を基に、音声の定位位置等の設定を変更させることが可能である。
【００４１】
リア表示部２２３は、車両の後席様の設けられた表示部であり、画像出力部２１１を介して、表示部７に表示される画像と同じもの、若しくは運転席用の画像か助手席用の画像の一方が表示可能である。
【００４２】
制御部２００は、ＥＴＣ車載器２２４からの料金表示等を表示させることも行っている。また、制御部２００は携帯電話などと無線接続するための通信ユニット２２５を制御し、これに関する情報が表示されるようにしてもよい。
【００４３】
［コントラスト調整装置を含む表示装置の構成と動作の説明］
次に、本発明に係るコントラスト調整装置を含む表示装置の構成と動作について説明する。図１０は、本発明が適用されるＡ／Ｄ変換手段を有するコントラスト調整装置を含む表示装置３００の構成例を示す図である。図６に示す表示装置と同一構成部分には同一番号を付している。本実施例では、本表示装置３００を、ＴＶの映像やナビゲーション用の地図画等を表示するカーナビゲーション装置に適用した例で説明する。
【００４４】
尚、本実施例では、２つの視方向に対して個別の画像（運転席用の画像と助手席用の画素）を同一ディスプレイ上に表示する表示装置に適用して説明するが、これらに限定されず、１つの画像を表示する表示装置や、２つ以上の視方向に対する個別の画像を同一ディスプレイ上に表示する表示装置であってもよい。更に適用範囲は、車載用に限定されず、ホーム用のＴＶ受像機、携帯電話等、ディスプレイ装置を備えるものであれば適用可能である。
【００４５】
表示装置３００は、表示ＡＳＩＣ（Application Specific Integrated Circuit）３１０と、ＴＦＴ（Thin Film Transistor）型液晶ディスプレイ（図６の表示部７に対応。以下、「ＴＦＴ」）７と、マイコン２００（図６の制御部２００に対応）、及び操作部３４０（図６の操作部２１５又はタッチパネル１２４、若しくはリモコン２１７に対応）とから構成される。
【００４６】
表示ＡＳＩＣ３１０は、例えば、運転席側からのみ視聴可能な運転席用画像と助手席側からのみ視聴可能な助手席用画像とを同時に表示し得るようにした、いわゆるマルチビュー機能を実現するためのものである。
【００４７】
表示ＡＳＩＣ３１０は、第１のＡ／Ｄ変換部３１１（図６の各種ソース（ＣＤ／ＭＤ再生部２０１等）内に設けられている）と、第２のＡ／Ｄ変換部３１２（同様に図６の各種ソース内に設けられている）と、スイッチ３１３（図６の分配回路２０７に対応）と、合成部３１４と、コントラスト調整部３１５（図６の第１又は第２の画像調整回路２０８、２０９に対応）、及び並び替え部３１６（図６の画像出力部２１１に対応）とを有する。尚、表示ＡＳＩＣ３１０は、並び替え部３１６を備えず、外部に設けてもよい。
【００４８】
第１のＡ／Ｄ変換部３１１は、第１のアナログ映像信号（例えば、アナログのＮＴＳＣ映像信号）が入力されて、第１のデジタル映像信号（例えば、デジタルのＮＴＳＣ信号）に変換して出力する。
【００４９】
第２のＡ／Ｄ変換部３１２は、第２のアナログ映像信号（例えば、ナビゲーション画像を示すＲＧＢ信号）が入力されて、第２のデジタル映像信号（例えば、デジタルのＲＧＢ信号）に変換して出力する。
【００５０】
尚、操作部３４０から２つの視方向で同画像表示の操作指示があった場合、第１のＡ／Ｄ変換部３１１または第２のＡ／Ｄ変換部３１２の一方に表示指示された映像に対応するアナログ映像信号を入力するようにしても良い。
【００５１】
スイッチ３１３は、第２のＡ／Ｄ変換部３１２及びマイコン２００に接続されるとともに、後述の合成部３１４及び並び替え部３１６に接続される。スイッチ３１３は、第２のＡ／Ｄ変換部３１２からの第２のデジタル映像信号が入力され、当該信号を合成部３１４又は並び替え部３１６に出力する。この切り替えは、後述するマイコン２００からの制御信号に基づいて行われる。
【００５２】
合成部３１４は、第１のＡ／Ｄ変換部３１１及びスイッチ３１３に接続されるとともに、後述のコントラスト調整部３１５に接続される。合成部３１４は、第１のＡ／Ｄ変換部３１１からの第１のデジタル映像信号と、スイッチ３１３からの第２のデジタル映像信号とを合成し、コントラスト調整部３１５に出力する。
【００５３】
この合成により、例えば、ＮＴＳＣの映像にナビゲーション画像をオンスクリーン表示（或いは、ナビゲーション画像にＮＴＳＣの映像をオンスクリーン表示）させることができる。
【００５４】
但し、合成部３１４はスイッチ３１３から第２のデジタル映像信号が入力されないときは、第１のＡ／Ｄ変換部３１１からの第１のデジタル映像信号をコントラスト調整部３１５に出力する。
【００５５】
コントラスト調整部３１５は、並び替え部３１６及びマイコン２００にも接続され、合成部３１４からの映像信号と後述するマイコン２００からの調整信号に基づいて演算を行って、合成部３１４からの映像信号に対しコントラスト（白っぽさ、黒っぽさ又は明るさ、暗さ）調整を行い、調整後の映像信号を並び替え部３１６に出力する。
【００５６】
並び替え部３１６は、コントラスト調整部３１５からの映像信号とスイッチ３１３からの映像信号とが入力され、前述したように１画素ごと（又は複数画素ごと）に各映像信号の画素値を交互に並び替え、ＴＦＴ７に出力する。
【００５７】
尚、並び替え部３１６は、コントラスト調整部３１５からの映像信号の入力がない場合には、前述した並び替えを行わず、スイッチ３１３からの映像信号をＴＦＴ７に出力しても良いし、スイッチ３１３からの映像信号をコントラスト調整部３１５及びスイッチ３１３からの映像信号と見なし、前述したように交互に並び替えてＴＦＴ７に出力しても良い。また、特定画像（例えば、単色画像）を用いて、特定画像がコントラスト調整部３１５からの映像信号と見なし、特定画像とスイッチ３１３からの映像信号を前述したように交互に並び替えてＴＦＴ７に出力しても良いし、スイッチ３１３からの映像信号を第２の映像信号に対応する画素に配置し、ＴＦＴ７に出力しても良い。
【００５８】
更に、並び替え部３１６は、スイッチ３１３からの映像信号の入力がない場合には、前述する並び替えを行わず、コントラスト調整部３１５からの映像信号をＴＦＴ７に出力しても良いし、コントラスト調整部３１５からの映像信号をコントラスト調整部３１５及びスイッチ３１３からの映像信号と見なし、前述したように交互に並び替えてＴＦＴ７に出力しても良い。また、特定画像（例えば、単色画像）を用いて、特定画像がスイッチ３１３からの映像信号と見なし、特定画像とコントラスト調整部３１５からの映像信号を、前述したように交互に並び替えてＴＦＴ７に出力しても良いし、コントラスト調整部３１５からの映像信号を第２の映像信号に対応する画素に配置し、ＴＦＴ７に出力しても良い。
【００５９】
尚、操作部３４０からの単一画像表示の操作指示に基づいて、マイコン２００から並び替え部３１６に前述の制御を行わせる並び替え制御信号を出力しても良いし、乗員検知手段２２２により、乗員が一人であることを検知したときにマイコン２００から並び替え部３１６に前述の制御を行わせる並び替え制御信号を出力しても良い。
【００６０】
ＴＦＴ７は、並び替え部３１６に接続され、並び替え部３１６からの映像信号を液晶画面上に表示する。なお、ＴＦＴ７の前面には前述したように１画素幅（又は複数画素幅）のスリットを有する視差バリア１０８を備える。この視差バリア１０８により各映像信号の表示光の出射方向が制限されるため、例えば、助手席側では第１の映像信号によって示される第１の映像（例えば、ＮＴＳＣ映像）を、運転席側では第２の映像信号によって示される第２の映像（例えばナビゲーション画像）を見ることができる。
【００６１】
マイコン２００は、操作部３４０、第２のＡ／Ｄ変換部３１２、スイッチ３１３、及びコントラスト調整部３１５に接続される。マイコン２００は、操作部３４０からの第２の映像信号のコントラスト調整指示に基づいて、第２のＡ／Ｄ変換部３１２に対して、Ａ／Ｄ変換する際に基準となる基準電圧ＶＲＨをコントラスト調整信号として出力する。マイコン２００は、この基準電圧ＶＲＨを操作部３４０からの第２の映像信号のコントラスト調整指示に基づいて可変にすることで、ＴＦＴ７に表示される第２の映像のコントラストを調整する。尚、マイコン２００は第１のＡ／Ｄ変換部３１１にもＡ／Ｄ変換の際に基準となる基準電圧を出力するが、この場合は一定の基準電圧となる。
【００６２】
また、マイコン２００は、操作部３４０からの前述の同画像表示の操作指示、第１の映像信号と第２の映像信号の合成表示の操作指示、単一画像表示の操作指示があった場合には、第１のＡ／Ｄ変換部３１１または第２のＡ／Ｄ変換部３１２の一方に表示指示された映像に対応するアナログ映像信号を入力するように制御する信号や、第１のデジタル映像信号と第２のデジタル映像信号を合成部３１４で合成できるようにスイッチ３１３を制御する制御信号や、並び替え部３１６の並び替えを制御する並び替え制御信号を出力する。
【００６３】
ここで、本発明に係るコントラスト調整装置は、本実施例では第２のＡ／Ｄ変換部３１２、または表示ＡＳＩＣ３１０、または第２のＡ／Ｄ変換部３１２及びマイコン２００、または表示ＡＳＩＣ３１０及びマイコン２００に対応する。
【００６４】
図１１は、基準電圧ＶＲＨと第２のＡ／Ｄ変換部３１２に入力される第２のアナログ映像信号（例えば、ナビゲーション用アナログＲＧＢ映像信号）との関係を示す図である。横軸が時間で、縦軸はアナログ電圧値を示す。
【００６５】
一般にＡ／Ｄ変換するときには、基準電圧ＶＲＨに基づいて出力デジタル値を決定する。即ち、図１１（Ａ）に示すように、出力デジタル値は、基準電圧ＶＲＨの電圧値を「２５５」（８ビット出力時）としたときの相対比で決定される。
【００６６】
例えば、アナログ映像信号の最も高電圧の位置をＡとし、その電圧値が「１．５Ｖ」、基準電圧ＶＲＨを「２Ｖ」とすると、この位置Ａにおける出力デジタル値Ｘは、
２：１．５＝２５５：Ｘ
∴  Ｘ＝（１．５／２）×２５５≒１９１
となる。
【００６７】
ここで、基準電圧ＶＲＨを可変にすると、出力デジタル値は異なるものになる。例えば図１１（Ｂ）に示すように、基準電圧ＶＲＨを「１．５Ｖ」にしたとき、位置Ａにおける出力デジタル値Ｘ１は、
１．５：１．５＝２５５：Ｘ１
∴  Ｘ１＝（１．５／１．５）×２５５＝２５５
となる。また、基準電圧ＶＲＨを「２．５Ｖ」にしたとき、位置Ａにおける出力デジタル値Ｘ２は、
２．５：１．５＝２５５：Ｘ２
∴  Ｘ２＝（１．５／２．５）×２５５≒１５３
となる。
【００６８】
従って、基準電圧ＶＲＨを可変にすると、出力デジタル値も夫々可変となる。出力デジタル値が可変の値を取り得ると、白っぽさ、黒っぽさ等を示すコントラストの調整された映像を出力することができる。
【００６９】
図１２は、基準電圧ＶＲＨを変えたときに出力デジタル値がどのように変化するかを示す図である。左側の図は、横軸が時間、縦軸が電圧値で、アナログ映像信号のグラフを示す。右側の図は、横軸は時間、縦軸は出力デジタル値で、デジタル映像信号のグラフを示す。
【００７０】
例えば、図１２（Ｂ）に示すように、基準電圧ＶＲＨを「１．４Ｖ」程度とすると、標準的な白っぽさとして映像が表示される。また、基準電圧ＶＲＨをそれよりも高くすると、暗めの映像となり、基準電圧を低くすると明るめの映像として表示される（図１２（Ａ）及び（Ｃ）参照）。
【００７１】
コントラストの調整は、操作部３４０（例えば、操作スイッチや操作ボタン等）をユーザが選択操作することで、マイコン２００がそれを検知し、操作に対応した基準電圧ＶＲＨを出力することで行われる。
【００７２】
図１０に戻り、コントラスト調整された第２の映像信号（例えば、ナビゲーション用デジタルＲＧＢ信号）はスイッチ３１３を介して、合成部３１４又は並び替え部３１６に出力される。その後、並び替え部３１６は、第１の映像信号（例えば、ＮＴＳＣデジタル映像信号）と第２の映像信号（例えば、ナビゲーション用デジタルＲＧＢ信号）とが入力されて、これらの映像信号に対して並び替えを行い、ＴＦＴ７で各映像が表示される。従って、コントラスト調整された第１の映像信号によって示される第１の映像（例えば、ＮＴＳＣ映像）とともに、コントラスト調整された第２の映像信号によって示される第２の映像（例えば、ナビゲーション用映像）がＴＦＴ７に表示される。
【００７３】
本実施例では、第２のＡ／Ｄ変換部３１２で既に第２の映像信号のコントラスト調整を行っているため、スイッチ３１３と並び替え部３１６との間にコントラスト調整部３１５とは別に、第２の映像信号用のコントラスト調整部を設ける必要がない。このため、表示ＡＳＩＣ３１０を簡易な構成とすることができ、コスト低下を実現できる。
【００７４】
上述した実施例では、可変にした基準電圧ＶＲＨを第２のＡ／Ｄ変換部３１２にのみ出力した例について説明した。それ以外にも、図１３に示すように、第２のＡ／Ｄ変換部３１２のみならず第１のＡ／Ｄ変換部３１１にかかる基準電圧ＶＲＨを出力するようにしてもよい。この場合、第２のＡ／Ｄ変換部３１２からコントラストの調整された第２のデジタル映像信号が出力されるのと同様に、第１のＡ／Ｄ変換部３１１からコントラストの調整された第１のデジタル映像信号が出力される。従って、第１のデジタル映像信号はコントラストが既に調整されているため、上述の例と比較して、合成部３１４と並び替え部３１６との間にコントラスト調整部３１５を設ける必要がない。コントラスト調整部３１５を設ける必要がない分、更に表示ＡＳＩＣ３１０のコスト低下を実現できる。
【００７５】
更に、この基準電圧ＶＲＨについても同じ値を第１のＡ／Ｄ変換部３１１と第２のＡ／Ｄ変換部３１２に出力するのでなく、夫々異なる値の基準電圧（夫々、第１の基準電圧、第２の基準電圧）を各変換部３１１、３１２に出力してもよい。夫々、コントラスト調整されたデジタル映像信号が各変換部３１１、３１２から出力される。
【００７６】
また、上述した実施例において、スイッチ３１３は、第２のデジタル映像信号を合成部３１４か並び替え部３１６かいずれか一方に切り替えて出力する例で説明した。それ以外にも、図１４に示すように、第２のＡ／Ｄ変換部３１２から出力された第２のデジタル映像信号が並び替え部３１６に常に出力されるとともに、第２のデジタル映像信号を合成部３１４に出力させたり出力させなかったりするよう、スイッチ３１７を構成することもできる。この合成部３１４に対する出力の切り替えは、マイコン２００からの制御信号に基づいて行われる。これにより、例えば、第１の映像をＴＶ画像、第２の映像をナビゲーション画像とすると、合成部３１４にナビゲーション画像を出力させることで、助手席側（又は運転席側）にはＴＶ画像にナビゲーション画像がオンスクリーン表示され、運転席側（又は助手席側）にはナビゲーション画像が表示される。
【００７７】
更に、上述した実施例は、表示ＡＳＩＣ３１０がスイッチ３１３を備えている場合について説明したが、表示ＡＳＩＣ３１０がスイッチ３１３を備えず、第２のＡ／Ｄ変換部３１２の出力が並び替え部３１６に入力されるようにしても良い。
【００７８】
更に、上述の実施例では、助手席側の映像として第１の映像（例えば、ＮＴＳＣの映像）が、運転席側の映像として第２の映像（例えば、ナビゲーションの映像）が、ＴＦＴ７に表示されるものとして説明した。それ以外にも夫々の側で種々の映像が表示されるようにしてもよい。例えば、助手席側にＴＶアンテナ等で受信したＴＶの映像やＤＶＤの映像、運転席側には走行規制画等である。
【００７９】
更に、上述の実施例では、ＮＴＳＣ映像、ＴＶ映像、ＤＶＤ映像等、細かなコントラスト調整が要求される映像が表示される可能性が高い助手席側の映像を第１の映像信号とし、ナビゲーション映像等、細かなコントラスト調整が要求される可能性が低い映像が表示される可能性が高い運転席側の映像を第２の映像信号として説明した。それ以外にも、運転席側に第１の映像信号によって示される第１の映像が、助手席側に第２の映像信号によって示される第２の映像が表示されても良い。この場合、並び替え部３１６での画素の並び替えを制御することで実現可能である。
【００８０】
更に、上述の実施例では、２つの映像を表示する場合について説明したが、それ以上の映像が表示されても良い。この場合、所定数の映像信号に対してＡ／Ｄ変換部によりコントラスト調整を行うようにすることで実現可能である。
【００８１】
更に、上述の実施例では、第２のＡ／Ｄ変換部３１２からは８ビットのデジタル値が出力されるものとして説明したが、勿論、それ以外のビット数でも全く同様の作用効果を奏する。
【００８２】
更に、液晶ディスプレイとしてＴＦＴ型を例にして説明したが、それ以外にも、例えば、ＳＴＮ（Super Twisted Nematic）型やＤＳＴＮ（Dual-scan Super Twisted Nematic）型等、種々のものでもよい。更に、液晶ディスプレイ以外にも、プラズマディスプレイやＥＬ（Electroluminescence）ディスプレイでも適用可能である。いずれの場合も、上述した実施例と同様の作用効果を奏する。
【００８３】
更に、上述の実施例では、本発明に係るコントラスト調整装置を、カーナビゲーション装置に適用した場合について説明した。それ以外にも、ホーム用のＴＶ受像機、携帯電話等、ディスプレイ装置を備える装置であれば適用可能である。これらの場合でも、上述の例と同様の作用効果を得る。
【図面の簡単な説明】
【００８４】
【図１】本発明に係る表示装置の概念図である。
【図２】表示装置の搭載例を示す斜視図である。
【図３】表示部の断面構造の概略図である。
【図４】表示パネルを正面から見た構造の概略図である。
【図５】ＴＦＴ基板の概略を示す回路図である。
【図６】本発明に係る表示装置の概略を示すブロック図である。
【図７】画像出力部２１１の概略を示すブロック図である。
【図８】制御部２００の概略を示すブロック図である。
【図９】メモリ２１８の概略を示すブロック図である。
【図１０】表示装置の構成例を示す図である。
【図１１】基準電圧と入力アナログ信号との関係を示す図である。
【図１２】基準電圧を出力デジタル信号との関係を示す図である。
【図１３】表示装置の他の構成例を示す図である。
【図１４】表示装置の他の構成例を示す図である。
【符号の説明】
【００８５】
１：第１の画像ソース、２：第２の画像ソース、３：第１の画像データ、４：第２の画像データ、５：表示制御部、６：表示データ、７：表示部、８：第１の表示画像、９：第２の表示画像、１０：観察者、１１：観察者、１２：助手席、１３：運転席、１４：ウィンドシールド、１５：操作部、１６：スピーカ、１００：液晶パネル、１０１：バックライト、１０２：偏光板、１０３：偏光板、１０４：ＴＦＴ基板、１０５：液晶層、１０６：カラーフィルター基板、１０７：ガラス基板、１０８：視差バリア、１０９：左側（助手席側）表示用の画素、１１０：右側（運転席側）表示用の画素、１１１：表示パネル駆動部、１１２：走査線駆動回路、１１３：データ線駆動回路、１１４：ＴＦＴ素子、１１５〜１１８：データ線、１１９〜１２１：走査線、１２２：画素電極、１２３：サブピクセル、１２４：タッチパネル、２００：制御部、２０１：ＣＤ／ＭＤ再生部、２０２：ラジオ受信部、２０３：ＴＶ受信部、２０４：ＤＶＤ再生部、２０５：ＨＤ（Hard Disk）再生部、２０６：ナビゲーション部、２０７：分配回路、２０８：第１の画像調整回路、２０９：第２の画像調整回路、２１０：音声調整回路、２１１：画像出力部、２１２：ＶＩＣＳ情報受信部、２１３：ＧＰＳ情報受信部、２１４：セレクタ、２１５：操作部、２１６：リモコン送受信部、２１７：リモコン、２１８：メモリ、２１９：外部音声／映像入力部、２２０：カメラ、２２１：明るさ検知手段、２２２：乗員検知手段、２２３：リア表示部、２２４：ＥＴＣ車載器、２２５：通信ユニット、２２６：第１の書込回路、２２７：第２の書込回路、２２８：ＶＲＡＭ（Video RAM）、２２９：インターフェース、２３０：ＣＰＵ、２３１：プログラム記憶部、２３２：データ記憶部、２３３：第１の画面ＲＡＭ、２３４：第２の画面ＲＡＭ、２３５：画質設定情報記憶手段、２３６：対環境調整値保持手段、３００：表示装置、３１０：表示ＡＳＩＣ、３１１：第１のＡ／Ｄ変換部、３１２：第２のＡ／Ｄ変換部、３１３：スイッチ、３１４：合成部、３１５：コントラスト調整部、３１６：並び替え部、３１７：スイッチ、３４０：操作部
【図１】
2007025617.tif 000003
【図２】
2007025617.tif 000004
【図３】
2007025617.tif 000005
【図４】
2007025617.tif 000006
【図５】
2007025617.tif 000007
【図６】
2007025617.tif 000008
【図７】
2007025617.tif 000009
【図８】
2007025617.tif 000010
【図９】
2007025617.tif 000011
【図１０】
2007025617.tif 000012
【図１１】
2007025617.tif 000013
【図１２】
2007025617.tif 000014
【図１３】
2007025617.tif 000015
【図１４】
2007025617.tif 000016